(57)【要約】  【課題】設定されているＷＢ調整条件に対応する照明光と異なる照明光の下で撮影しても、適切にＷＢ調整を施す電子カメラを提供する。  【解決手段】電子カメラがＷＢブラケット撮影モードに設定された状態で撮影が指示されると、ＣＰＵ２８はバッファメモリ２０に格納されたディジタル変換後の画像データに対して異なるＷＢ処理条件で複数の異なるＷＢ処理を行うことによって複数のＷＢ処理画像を得る。ＷＢブラケット撮影用のＷＢ処理条件は、異なる照明光に対応してあらかじめ決定され、ＣＰＵ２８内のメモリに記憶されている複数の離散的な色温度調整基準を組み合わせて決定される。ＷＢブラケット撮影用のＷＢ処理条件を構成する組み合わせは、操作部材３０からの操作信号に応じて決定する。  【選択図】図２
2006041675.tif 000002
【特許請求の範囲】
【請求項１】
被写体像を撮像して画像データを出力する撮像素子と、
前記撮像素子から出力された画像データに所定の色調整処理条件を用いて色調整処理を行う色調整処理手段と、
それぞれが異なる照明光に対応する複数の色調整処理条件を用いた複数の色調整処理を行わせ、色調整処理後の複数の画像データを得るように前記色調整処理手段を制御する制御手段とを備えることを特徴とする電子カメラ。
【請求項２】
請求項１に記載の電子カメラにおいて、
前記制御手段は、固定的に定められている複数の色調整処理条件を用いるように前記色調整処理手段を制御することを特徴とする電子カメラ。
【請求項３】
請求項１に記載の電子カメラにおいて、
前記制御手段は、操作部材からの操作信号によって指示される複数の色調整処理条件を用いるように前記色調整処理手段を制御することを特徴とする電子カメラ。
【請求項４】
請求項１に記載の電子カメラにおいて、
前記制御手段は、設定されている第１の色調整処理条件、前記第１の色調整処理条件より色温度が高い側の照明光に対応する第２の色調整処理条件、および前記第１の色調整処理条件より色温度が低い側の照明光に対応する第３の色調整処理条件を前記複数の色調整処理条件として用いるように前記色調整処理手段を制御することを特徴とする電子カメラ。
【請求項５】
請求項１に記載の電子カメラにおいて、
前記制御手段は、前記撮像素子から出力された画像データに含まれる色成分に基づいて決定される第１の色調整処理条件、前記第１の色調整処理条件より色温度が高い側の照明光に対応する第２の色調整処理条件、および前記第１の色調整処理条件より色温度が低い側の照明光に対応する第３の色調整処理条件を前記複数の色調整処理条件として用いるように前記色調整処理手段を制御することを特徴とする電子カメラ。
【発明の詳細な説明】
【技術分野】
【０００１】
本発明は、撮像素子などで撮像された画像データを記録する電子カメラに関する。
【背景技術】
【０００２】
一般の電子カメラは、撮像した画像データに対する色温度調整の基準を変更して色調整（ホワイトバランス（以下ＷＢとする）調整と呼ばれている）を行う。特許文献１には、ＷＢ調整時の色温度調整基準を少しずつ段階的に変化させ、それぞれの調整基準でＷＢ調整処理を施して複数の画像を得るブラケティング処理を行うカメラが開示されている。特許文献１によれば、現在の色温度調整基準に対してＲ信号の割合を２割多くしたり、Ｂ信号の割合を２割多くしたりしてＷＢ調整値が段階的に変化される。
【０００３】
【特許文献１】特開平５−１１０９３７号公報
【発明の開示】
【発明が解決しようとする課題】
【０００４】
特許文献１に記載の技術のように、基準とするＷＢ調整値（たとえば、現在の値）を所定の割合で変化させる方法では、設定されている照明光（たとえば、蛍光灯）に対応する色温度調整基準を微調整することはできても、設定内容と異なる照明光（白熱電球やフラッシュライトなど）に対応させることができない。このため、設定内容と異なる照明条件で撮影を行った場合には適切なＷＢ調整を行うことができなかった。
【課題を解決するための手段】
【０００５】
本発明による電子カメラは、被写体像を撮像して画像データを出力する撮像素子と、撮像素子から出力された画像データに所定の色調整処理条件を用いて色調整処理を行う色調整処理手段と、それぞれが異なる照明光に対応する複数の色調整処理条件を用いた複数の色調整処理を行わせ、色調整処理後の複数の画像データを得るように色調整処理手段を制御する制御手段とを備えることを特徴とする。
電子カメラの制御手段は、固定的に定められている複数の色調整処理条件を用いるように色調整処理手段を制御することもできる。
電子カメラの制御手段は、操作部材からの操作信号によって指示される複数の色調整処理条件を用いるように色調整処理手段を制御することもできる。
電子カメラの制御手段は、設定されている第１の色調整処理条件、第１の色調整処理条件より色温度が高い側の照明光に対応する第２の色調整処理条件、および第１の色調整処理条件より色温度が低い側の照明光に対応する第３の色調整処理条件を複数の色調整処理条件として用いるように色調整処理手段を制御することもできる。
電子カメラの制御手段は、撮像素子から出力された画像データに含まれる色成分に基づいて決定される第１の色調整処理条件、第１の色調整処理条件より色温度が高い側の照明光に対応する第２の色調整処理条件、および第１の色調整処理条件より色温度が低い側の照明光に対応する第３の色調整処理条件を複数の色調整処理条件として用いるように色調整処理手段を制御することもできる。
【発明の効果】
【０００６】
本発明による電子カメラでは、設定されている色調整（ＷＢ調整）処理条件に対応する照明光と異なる照明光の下で撮影しても、適切に色調整を施した画像が得られる。
【発明を実施するための最良の形態】
【０００７】
以下、図面を参照して本発明を実施するための最良の形態について説明する。図１は、本発明の一実施の形態による電子カメラの外観図である。図１において電子カメラは、カメラ本体１およびレンズ鏡筒２によって構成される。カメラ本体１には、光学ファインダ３、レリーズボタン４、カメラモードボタン５、撮影モードボタン６、消去ボタン７、十字キーボタン８、およびカラー液晶表示器（ＬＣＤ）２４が設けられている。
【０００８】
図２は、図１の電子カメラの要部構成を説明するブロック図である。図２において、システムコントローラ（以下ＣＰＵとする）２８はマイクロコンピュータなどによって構成される。ＣＰＵ２８は、後述する各ブロックから出力される信号を入力して所定の演算を行い、演算結果に基づく制御信号を各ブロックへ出力する。
【０００９】
固体撮像素子１５は、ＣＣＤ二次元カラーイメージセンサなどによって構成される。撮像素子１５は、レンズ鏡筒２（図１）内に配設される撮影レンズ１１を通過した被写体光束による像を撮像し、撮像信号（画素信号）をＡ／Ｄ変換器１７へ出力する。Ａ／Ｄ変換器１７は、アナログ撮像信号をディジタル信号に変換する。
【００１０】
バッファメモリ２０はＤＲＡＭなどで構成され、ディジタル変換後の画像データを一時格納する。画像処理部２１は、バッファメモリ２０に記憶されているディジタル変換後の画像データに輝度信号生成処理、色信号生成処理、およびＷＢ処理などの色信号処理を施すことにより、所定フォーマットのカラー画像データを生成する。カラー画像データは、ＤＲＡＭなどで構成されるバッファメモリ２２に一時格納される。
【００１１】
表示処理部２３は、バッファメモリ２２に記憶されているカラー画像データを用いてカラー液晶表示器２４の表示解像度に応じた画像表示信号を生成し、生成した信号をカラー液晶表示器２４へ出力する。表示処理部２３はまた、メニュー画面などのテキスト表示信号を生成してカラー液晶表示器２４へ出力する。カラー液晶表示器２４は、画像表示信号によるカラー画像を再生表示したり、メニューや操作ガイドなどのテキスト情報を表示したりする。
【００１２】
圧縮／伸長処理部２５は、バッファメモリ２２に記憶されているカラー画像データを所定の形式で圧縮する圧縮（符号化）処理、圧縮されている画像データを伸長する伸長（復号化）処理などを行う。バッファメモリ２２は、各種処理中および処理後の画像データを一時的に格納する場合にも使用される。
【００１３】
記録／再生処理部２６は、記録媒体２７に対して画像データを記録したり、記録媒体２７に記録されている画像データを読み出す処理を行う。記録媒体２７は、電子カメラ本体１に対して着脱可能なメモリカードなどによって構成される。撮影モードにおいて、記録媒体２７は圧縮／伸長処理部２５で符号化された画像データを記録する。再生モードにおいて、記録媒体２７に記録されている画像データが読み出されて圧縮／伸長処理部２５へ送られる。表示処理部２３は、圧縮／伸長処理部２５によって復号化された画像データを用いて画像表示信号を生成する。
【００１４】
操作部材３０は、レリーズスイッチ３１、カメラモードスイッチ３２、撮影モードスイッチ３３、消去スイッチ３４、および十字キースイッチ３５を含み、設定操作に応じた操作信号をＣＰＵ２８へ出力する。ＣＰＵ２８は、操作部材３０から入力される操作信号に基づいて設定変更処理を行う。
【００１５】
レリーズスイッチ３１はレリーズボタン４（図１）に連動し、電子カメラに撮影を指示するための操作信号を出力する。カメラモードスイッチ３２はカメラモードボタン５（図１）に連動し、撮影モード／再生モードを切り換えるための操作信号を出力する。撮影モードスイッチ３３は撮影モードボタン６（図１）に連動し、通常撮影モード／ブラケット撮影モードを切り換えるための操作信号を出力する。ブラケット撮影モードは条件を変えて複数の画像を取得する撮影モードであり、ＷＢ処理条件（たとえば、色温度調整基準）を変えるＷＢブラケット撮影モードや、露出条件を変えるＡＥ（自動露出）ブラケット撮影モードなどを含む。
【００１６】
消去スイッチ３４は消去ボタン７（図１）に連動し、ブラケット撮影モードで生成された複数の画像から不要な画像を消去するための操作信号を出力する。十字キースイッチ３５は十字キーボタン８（図１）に連動し、操作状態に応じて上下左右の方向を示す操作信号を出力する。
【００１７】
本発明は、以上の電子カメラで行われるＷＢブラケット撮影に特徴を有する。
【００１８】
画像処理部２１で行われるＷＢ処理について詳細に説明する。画像処理部２１は、バッファメモリ２０に記憶されているディジタル変換後の画像データに対し、ＣＰＵ２８から与えられるＷＢ調整係数を用いて第１の色処理を行う。ＷＢ調整係数は、たとえば、Ｒ／Ｇ（緑色信号に対する赤色信号のバランス）やＢ／Ｇ（緑色信号に対する青色信号のバランス）で表される。Ｒ／Ｇの値を０．５→１．５に、Ｂ／Ｇの値を１．５→０．５にそれぞれ変化させるとＷＢを低色温度から高色温度へ変化させたことと同様になり、空の色再現を例にすると青い空から夕焼け空まで表現できるようになる。
【００１９】
画像処理部２１は、第１の色処理後の画像データに対し、ＣＰＵ２８から与えられるマトリックス係数（たとえば、３×３）を用いて第２の色処理を行う。マトリックス係数を変化させることにより、肌の色再現を例にすると赤みがかった肌色から黄色がかった肌色まで表現できるようになる。
【００２０】
画像処理部２１はさらに、第２の色処理後の画像データに対し、ＣＰＵ２８から与えられる色差係数を用いて第３の色処理を行う。色差係数を変化させる場合にも、赤みがかった肌色から黄色がかった肌色まで表現できるようになる。
【００２１】
画像処理部２１は、電子カメラがＷＢブラケット撮影モードに設定されている状態で撮影が指示されると、上記第１の色処理のＷＢ調整係数、第２の色処理のマトリックス係数、および第３の色処理の色差係数のうち少なくとも１つの係数を変化させることによって複数の異なるＷＢ処理条件（色温度調整基準）を生成し、バッファメモリ２０に格納されたディジタル変換後の画像データに対してこれら異なる色温度調整基準で複数の異なる色処理を行うことによって複数の色処理画像を得る。なお、上記第１の色処理〜第３の色処理を総称してＷＢ処理と呼ぶ。
【００２２】
電子カメラのＣＰＵ２８で行われるカメラ処理の流れについて、図３のフローチャートを参照して説明する。図３による処理は、カメラの不図示のメインスイッチがオンされると繰り返し行われる。
【００２３】
図３のステップＡ１において、ＣＰＵ２８は撮影モードか否かを判定する。ＣＰＵ２８は、電子カメラが撮影モードに設定されている場合にステップＡ１を肯定判定してステップＡ２へ進み、電子カメラが再生モードに設定されている場合にはステップＡ１を否定判定し、ステップＡ１２へ進む。
【００２４】
ステップＡ２において、ＣＰＵ２８はＷＢブラケット撮影か否かを判定する。ＣＰＵ２８は、電子カメラがＷＢブラケット撮影モードに設定されている場合にステップＡ２を肯定判定してステップＡ３へ進み、電子カメラがＷＢブラケット撮影モードに設定されていない場合にはステップＡ２を否定判定し、ステップＡ２１へ進む。
【００２５】
ステップＡ３において、ＣＰＵ２８は色処理設定処理を行ってステップＡ４へ進む。色処理設定はＷＢブラケット撮影用のＷＢ処理条件を決定するための処理であり、当該処理の詳細については後述する。
【００２６】
ステップＡ４において、ＣＰＵ２８は色処理設定処理を終了するとステップＡ５へ進む。ステップＡ５において、ＣＰＵ２８はレリーズスイッチ３１がオンされたか否かを判定する。ＣＰＵ２８はレリーズスイッチ３１からオン操作信号が入力されるとステップＡ５を肯定判定してステップＡ６へ進み、レリーズスイッチ３１からオン操作信号が入力されない場合にはステップＡ５を否定判定し、ステップＡ１へ戻る。
【００２７】
ステップＡ６において、ＣＰＵ２８は撮影を開始させる。具体的には測光値（被写体光が入射される状態でＣＣＤ１５から出力される画素信号の累積加算値）を用いて周知の露出演算を行うことにより、露出制御値を決定する。不図示の絞り制御機構に制御絞り値まで絞りを絞り込ませた上で撮像素子１５に電荷蓄積を開始させる。これにより、撮像素子１５は撮像面上に結像されている被写体像を撮像する。制御シャッタ速度に対応する露光時間が終了すると電荷蓄積を終了させ、撮像素子１５から画素信号をＡ／Ｄ変換器１７へ逐次出力させる。これにより、ディジタル化された画像データ（生データ）がバッファメモリ２０に記憶される。
【００２８】
ステップＡ７において、ＣＰＵ２８はバッファメモリ２０に記憶されているディジタル変換後の画像データに上記色設定を反映させる。具体的には、画像処理部２１に指令を送り、バッファメモリ２０内の画像データに対して異なるＷＢ処理条件で複数の異なるＷＢ処理を行わせてステップＡ８へ進む。これにより、ＷＢ処理後の複数の画像データがバッファメモリ２２に格納される。
【００２９】
ステップＡ８において、ＣＰＵ２８はＷＢ処理後の画像データを再生表示させてステップＡ９へ進む。具体的には、表示処理部２３に指令を送り、バッファメモリ２２内に格納されている画像データを用いて画像表示信号を生成させる。表示処理部２３がカラー液晶表示器２４へ画像表示信号を所定時間が経過するごとに順に出力することにより、カラー液晶表示器２４に複数のＷＢ処理後の再生画像が順に表示される。
【００３０】
ＣＰＵ２８は、カラー液晶表示器２４にＷＢ処理後の再生画像を表示している状態で消去スイッチ３４から操作信号が入力されると、表示中の再生画像に対応するバッファメモリ２２内の画像データについて、次ステップＡ９における圧縮処理および記録処理の対象から除外する。
【００３１】
ステップＡ９において、ＣＰＵ２８はバッファメモリ２２内に格納されているＷＢ処理後の画像データを圧縮し、圧縮後のデータを記録媒体２７に記録させて図３による処理を終了する。具体的には、圧縮／伸長処理部２５に指令を送り、バッファメモリ２２内に格納されている画像データに所定の圧縮処理を施してバッファメモリ２２に格納させる。また、記録／再生処理部２６に指令を送り、バッファメモリ２２に格納されている圧縮処理後の画像データを記録媒体２７に記録させる。
【００３２】
上述したステップＡ２を否定判定して進むステップＡ２１において、ＣＰＵ２８は通常の色処理設定を行ってステップＡ４へ進む。 通常の色処理設定とは、非ＷＢブラケット撮影時のＷＢ処理条件を決定するための処理である。ＣＰＵ２８は、たとえば、「太陽光モード」、「電球モード」、「蛍光灯モード」、「曇天モード」、および「スピードライトモード」のうち、十字キースイッチ３５から入力される操作信号が示すいずれか１つのＷＢ処理条件に決定する。決定した通常撮影用のＷＢ処理条件は、ＣＰＵ２８内のメモリ（不図示）に記憶される。
【００３３】
「太陽光モード」は晴天の屋外で撮影する場合に適した色温度調整基準で色調整を行うものである。「電球モード」は白熱電球の下で撮影する場合に適した色温度調整基準で色調整を行うものである。「蛍光灯モード」は一般の蛍光灯の下で撮影する場合に適した色温度調整基準で色調整を行うものである。「曇天モード」は曇りや日陰で撮影する場合に適した色温度調整基準で色調整を行うものである。「スピードライトモード」はスピードライトを発光させて撮影する場合に適した色温度調整基準で色調整を行うものである。
【００３４】
上述したステップＡ１を否定判定して進むステップＡ１２において、ＣＰＵ２８は画像データ再生処理を行ってステップＡ８へ進む。具体的には、記録／再生処理部２６に指令を送り、記録媒体２７に記録されている画像データを読み出して圧縮／伸長処理部２５へ送出させる。また、圧縮／伸長処理部２５に指令を送り、画像データを復号化させるとともに復号化データをバッファメモリ２２に格納させる。
【００３５】
色処理設定処理の詳細について、図４のフローチャートを参照して説明する。図４のステップＢ１において、ＣＰＵ２８は色処理を変更する操作が行われたか否かを判定する。ＣＰＵ２８は、ＷＢブラケット撮影用の色処理（すなわち、ＷＢ処理）条件を変更するための操作信号が十字キースイッチ３５から入力されると、ステップＢ１を肯定判定してステップＢ２へ進み、ＷＢブラケット撮影用の色処理条件を変更するための操作信号が入力されない場合にはステップＢ１を否定判定してステップＢ１２へ進む。
【００３６】
ステップＢ２において、ＣＰＵ２８はＷＢブラケット撮影用のＷＢ処理条件が「蛍光灯モード」＋「電球モード」か否かを判定する。ＣＰＵ２８は十字キースイッチ３５から入力される操作信号が「蛍光灯モード」および「電球モード」を示す場合にステップＢ２を肯定判定し、図４による処理を終了して図３のステップＡ４へ進む。この場合は、ＷＢブラケット撮影用に２つのＷＢ処理条件「蛍光灯モード」＋「電球モード」を生成する（決定する）。生成したＷＢブラケット撮影用のＷＢ処理条件は、ＣＰＵ２８内のメモリ（不図示）に記憶される。
【００３７】
一方、ＣＰＵ２８は十字キースイッチ３５から入力される操作信号が「蛍光灯モード」および「スピードライト（ＳＢ）モード」を示す場合にはステップＢ２を否定判定し、ステップＢ３へ進む。ステップＢ３において、ＣＰＵ２８はＷＢブラケット撮影用に２つのＷＢ処理条件「蛍光灯モード」＋「スピードライト（ＳＢ）モード」を生成（決定）して図４による処理を終了し、図３のステップＡ４へ進む。生成したＷＢブラケット撮影用のＷＢ処理条件は、ＣＰＵ２８内のメモリ（不図示）に記憶される。
【００３８】
ステップＢ２およびステップＢ３は操作信号によって指定されるＷＢ処理条件の一例を示すものであり、図５において後述する他のＷＢ処理条件の組み合わせでもよい。すなわち、撮影者が操作部材３０を操作することによって任意に指定するＷＢ処理条件を示す操作信号が入力されると、ＣＰＵ２８は操作信号に対応するＷＢブラケット撮影用のＷＢ処理条件をＣＰＵ２８内のメモリ（不図示）に記憶する。
【００３９】
ステップＢ１２において、ＣＰＵ２８は前回生成したＷＢブラケット撮影用のＷＢ処理条件をＣＰＵ２８内のメモリ（不図示）から読み出して図４による処理を終了し、図３のステップＡ４へ進む。このように、ＷＢブラケット撮影用の色処理条件を変更するための操作信号が十字キースイッチ３５から入力されない場合には、メモリに記憶されている内容をプリセットＷＢ処理条件として読み出して使用する。
【００４０】
図５は、ＷＢブラケット撮影用の色処理（ＷＢ処理）条件を例示する図である。条件の設定は、図４による色処理設定処理で行われる。図５において、色温度調整基準が高い方から順にＷＢ処理条件を並べると、「蛍光灯モード」、「スピードライトモード」、「太陽光モード」、「曇天モード」、「電球モード」である。蛍光灯は「昼光色」の場合を示す。各ＷＢ処理条件は、対応する照明光の下で撮影した画像の色再現を適切に行うようにあらかじめＷＢ調整係数、マトリックス係数、および色差係数が決定され、ＣＰＵ２８内のメモリ（不図示）に記憶されている。
【００４１】
ＷＢブラケット撮影用の色処理条件Ａ（以下、単に条件Ａと呼ぶ）は、「スピードライトモード」＋「太陽光モード」＋「曇天モード」の３つで構成される。これらは、屋外の撮影で使用される頻度が高い組み合わせである。
【００４２】
条件Ｂは、「太陽光モード」＋「曇天モード」の２つで構成される。この場合も屋外の撮影で使用される頻度が高い組み合わせである。
【００４３】
条件Ｃは、「蛍光灯モード」＋「スピードライトモード」＋「電球モード」の３つで構成される。これらは、室内の撮影で使用される頻度が高い組み合わせである。
【００４４】
条件Ｄは、「蛍光灯モード」＋「電球モード」の２つで構成される。この場合も室内の撮影で使用される頻度が高い組み合わせである。
【００４５】
条件Ｅは、「蛍光灯モード」＋「スピードライトモード」の２つで構成される。この場合も室内の撮影で使用される頻度が高い組み合わせである。
【００４６】
条件Ｆは、「スピードライトモード」＋「電球モード」の２つで構成される。この場合も室内の撮影で使用される頻度が高い組み合わせである。
【００４７】
条件Ｇは、５つのモード全てによって構成される。どの光源の下で撮影するかがあらかじめわからない（未定である）場合や、全ての色処理条件でＷＢ処理した画像を確認したい場合に有効な組み合わせである。
【００４８】
条件Ｈは、高温側の３つのモードによって構成される。高温側の色処理条件でＷＢ処理した画像を確認したい場合に有効な組み合わせである。
【００４９】
条件Ｉは、低温側の３つのモードによって構成される。低温側の色処理条件でＷＢ処理した画像を確認したい場合に有効な組み合わせである。
【００５０】
ＷＢブラケット撮影モードの場合にＣＰＵ２８が上記ステップＡ７において画像データに色設定を反映させるとき、ステップＡ３で上記条件Ａ〜条件Ｉのように設定されＣＰＵ２８内のメモリ（不図示）に記憶されている１つの組み合わせに基づいて、当該組み合わせを構成する複数のＷＢ処理条件を用いた複数の異なるＷＢ処理を行わせ、ＷＢ処理後の複数の画像をバッファメモリ２２に格納させる。
【００５１】
非ブラケット撮影（通常撮影）モードの場合には、ＣＰＵ２８内のメモリ（不図示）に記憶されている１つのＷＢ処理条件を用いたＷＢ処理を行わせ、ＷＢ処理後の画像をバッファメモリ２２に格納させる。
【００５２】
以上説明した電子カメラによれば、以下の作用効果が得られる。
（１）電子カメラはＷＢブラケット撮影モードに設定された状態で撮影が指示されると、バッファメモリ２０に格納されたディジタル変換後の画像データに対して異なるＷＢ処理条件で複数の異なるＷＢ処理を行うことによって複数のＷＢ処理画像を得る。ＷＢブラケット撮影用のＷＢ処理条件は、異なる照明光に対応してあらかじめ決定され、ＣＰＵ２８内のメモリ（不図示）に記憶されている複数の離散的な色温度調整基準を組み合わせて決定される。したがって、撮影者が予定していた照明光（たとえば、蛍光灯）と異なる照明光（白熱電球やフラッシュライトなど）のもとで撮影した場合でも、適切なＷＢ調整を施した画像を得ることができる。
【００５３】
（２）ＷＢブラケット撮影用のＷＢ処理条件を構成する組み合わせは、操作部材３０から入力される操作信号に応じて決定するようにした。したがって、撮影者はたとえば、屋外で撮影する場合には図５において条件Ａもしくは条件Ｂを、室内で撮影する場合には条件Ｃ〜条件Ｆのいずれかを指定することができる。これにより、「蛍光灯モード」、「スピードライトモード」、「太陽光モード」、「曇天モード」、および「電球モード」の５つのＷＢ処理条件でそれぞれＷＢ処理を行う場合に比べて、無駄な処理（屋外で撮影するにもかかわらず「蛍光灯モード」でＷＢ処理する）を省いてＷＢブラケット処理時間を短縮することができる。
【００５４】
条件Ａ〜条件Ｉを構成するＷＢ処理条件は、上述した「蛍光灯モード」、「スピードライトモード」、「太陽光モード」、「曇天モード」、および「電球モード」の５通りだけでなく、新たなＷＢ処理条件を追加してもよい。たとえば、「蛍光灯モード（白色）」、「蛍光灯モード（昼光色）」、さらに「晴天日陰モード」などである。なお、新たなＷＢ処理条件を追加する場合は、条件Ａ〜条件Ｉに加えて新たな組み合わせを設けてもよい。
【００５５】
図５に例示した組み合わせは、各条件を構成するＷＢ処理条件が使用者によって任意に選択される構成にしてもよいし、条件Ａ〜条件Ｉの設定をあらかじめＣＰＵ２８内のメモリに記憶させておき、使用者によって操作される十字キースイッチ３５からの操作信号に応じて条件Ａ〜条件Ｉをサイクリックに読み出し可能に構成してもよい。組み合わされるＷＢ処理条件条件の数は、３つでも４つでも５つでもよい。
【００５６】
撮影画像に対するＷＢ処理条件を電子カメラが自動的に決定するモード（いわゆるオートＷＢモード）に設定されている状態でＷＢブラケット撮影モードが設定された場合は、ＷＢブラケット撮影用のＷＢ処理条件を以下のようにするとよい。たとえば、電子カメラが画像データに含まれる色成分に基づいて自動的に決定したＷＢ処理条件と、当該ＷＢ処理条件より図５において高温側に隣接するＷＢ処理条件と、当該ＷＢ処理条件より図５において低温側に隣接するＷＢ処理条件とを組み合わせる。電子カメラが決定した色温度調整基準が５０００Ｋであったとすれば、この色温度調整基準（５０００Ｋ）と、高温側に隣接する「太陽光モード（５３００Ｋ）」、および低温側に隣接する「曇天モード（４５００Ｋ）」の３つでＷＢブラケット撮影用のＷＢ処理条件を構成する。
【００５７】
また、電子カメラが非ブラケット撮影（通常撮影）モードに設定されている状態からＷＢブラケット撮影モードに切り換えられた場合に、ＷＢブラケット撮影用のＷＢ処理条件を以下のようにしてもよい。たとえば、通常撮影時に設定されているＷＢ処理条件と、当該ＷＢ処理条件より図５において高温側に隣接するＷＢ処理条件と、当該ＷＢ処理条件より図５において低温側に隣接するＷＢ処理条件とを組み合わせる。電子カメラに「曇天モード（４５００Ｋ）」が設定されているとすれば、この「曇天モード（４５００Ｋ）」と、高温側に隣接する「太陽光モード（５３００Ｋ）」、および低温側に隣接する「電球モード（３２００Ｋ）」の３つでＷＢブラケット撮影用のＷＢ処理条件を構成する。
【００５８】
特許請求の範囲における各構成要素と、発明を実施するための最良の形態における各構成要素との対応について説明する。色調整処理条件は、たとえば、ＷＢ調整係数、マトリックス係数、および色差係数が対応する。色調整処理は、たとえば、第１の色処理〜第３の色処理を総称したＷＢ処理が対応する。色調整処理手段は、たとえば、画像処理部２１によって構成される。照明光は、たとえば、 「蛍光灯」、「スピードライト」、「太陽光」、「曇天」、および「電球」による光が対応する。制御手段は、たとえば、ＣＰＵ２８によって構成される。なお、本発明の特徴的な機能を損なわない限り、各構成要素は上記構成に限定されるものではない。
【図面の簡単な説明】
【００５９】
【図１】本発明の一実施の形態による電子カメラの外観図である。
【図２】図１の電子カメラの要部構成を説明するブロック図である。
【図３】電子カメラのＣＰＵで行われるカメラ処理の流れを説明するフローチャートである。
【図４】色処理設定処理の詳細について説明するフローチャートである。
【図５】ＷＢブラケット撮影用の色処理（ＷＢ処理）条件を例示する図である。
【符号の説明】
【００６０】
１…カメラ本体
２…レンズ鏡筒
１１…撮影レンズ
１５…撮像素子
１７…Ａ／Ｄ変換器
２０、２２…バッファメモリ
２１…画像処理部
２８…ＣＰＵ
３０…操作部材
【図１】
2006041675.tif 000003
【図２】
2006041675.tif 000004
【図３】
2006041675.tif 000005
【図４】
2006041675.tif 000006
【図５】
2006041675.tif 000007